(57)【要約】      （修正有）【課題】  雰囲気中を浮遊する風船を、斬新な、芳香装置や表示装置にして、展示場、催事場、イベント会場等の演出方法を提示する。【解決手段】  多数の有色又は無色の風船を用いた展示場、催事場、イベント会場等の建物内の演出方法であって、多数の風船に夫々芳香性流体を気体と共に封入して、多数の風船を適宜破裂させると共に建物内の雰囲気を攪拌させる手段を備えて雰囲気を攪拌させるものであり、更に、多数の風船に夫々微細な色彩鮮やかな紙吹雪を気体と共に封入して、多数の風船を適宜破裂させると共に照明手段を備えて落下する紙吹雪を照明するものである。【選択図】  なし【特許請求の範囲】
【請求項１】
多数の有色又は無色の風船を用いた展示場、催事場、イベント会場等の建物内の演出方法であって、前記多数の風船に夫々芳香性流体を気体と共に封入して、前記多数の風船を適宜破裂させると共に建物内の雰囲気を攪拌させる手段を備えて雰囲気を攪拌させることを特徴とする多数の風船を用いた演出方法。
【請求項２】
多数の有色又は無色の風船を用いた展示場、催事場、イベント会場等の建物内の演出方法であって、前記多数の風船に夫々微細な色彩鮮やかな紙吹雪を気体と共に封入して、前記多数の風船を適宜破裂させると共に照明手段を備えて落下する紙吹雪を照明することを特徴とする多数の風船を用いた演出方法。
【発明の詳細な説明】
【技術分野】
【０００１】  本発明は展示場、催事場、イベント会場等の建物内で多数の風船を用いた演出方法に関するものであり、更に、詳細には、有色又は無色の多数の風船に芳香性流体や微細な紙吹雪を封入して破裂させることにより主に嗅覚や視覚に訴える演出をする方法に関するものである。
【背景技術】
【０００２】  従来、この種の風船を雰囲気中に浮遊させたり、風船の表面に商品名等を表示して宣伝広告などの媒体に用いることは広く周知であり、例えば、風船に別体の表示体を備えた風船を利用した宣伝広告などの媒体（特許文献１参照）が開示されており、又、芳香装置や表示装置、音響装置等を用いた屋内環境演出装置（特許文献２参照）が開示されている。【０００３】
【特許文献１】  特開２０００−１０５５６１号公報
【特許文献２】  特開２０００−１７８６９号公報
【発明の開示】
【発明が解決しようとする課題】
【０００４】  然し乍ら、特に雰囲気中を浮遊する風船は子供等には人気があるものであるが、既に周知のもので、別体の表示体を備えても格別斬新さはないものであり、又、芳香装置や表示装置、音響装置等を用いたものは装置が大掛かりで短期間で終了する展示場、催事場、イベント会場等では不向きなものである。
【課題を解決するための手段】
【０００５】  前述の課題を解決するために、本発明の請求項１に記載の多数の風船を用いた演出方法は、多数の有色又は無色の風船を用いた展示場、催事場、イベント会場等の建物内の演出方法であって、多数の風船に夫々芳香性流体を気体と共に封入して、多数の風船を適宜破裂させると共に建物内の雰囲気を攪拌させる手段を備えて雰囲気を攪拌させるものである。【０００６】  更に、請求項２に記載の多数の風船を用いた演出方法は、多数の有色又は無色の風船を用いた展示場、催事場、イベント会場等の建物内の演出方法であって、多数の風船に夫々微細な色彩鮮やかな紙吹雪を気体と共に封入して、多数の風船を適宜破裂させると共に照明手段を備えて落下する紙吹雪を照明するものである。
【発明の効果】
【０００７】  本発明の多数の風船を用いた演出方法は、多数の風船に芳香性流体を気体と共に封入して破裂させると共に雰囲気を攪拌させることで、人間の嗅覚に訴える演出を可能とし、更に、多数の風船に紙吹雪を気体と共に封入して破裂させると共に照明することで、人間の視覚に訴える演出を可能とするもので、短期間で終了する展示場、催事場、イベント会場等に設営する場合に比較的廉価であり、これら展示場、催事場、イベント会場等の建物内で、人間の嗅覚や視覚に訴えるための演出方法として画期的で実用性の高い発明となる。
【発明を実施するための最良の形態】
【０００８】  本発明は多数の風船を用いた演出方法に関するものであり、更に、詳細には、有色又は無色の多数の風船に芳香性流体や微細な紙吹雪を封入して破裂させることにより主に嗅覚や視覚に訴える演出をする方法に関するものであり、請求項１に記載の多数の風船を用いた演出方法は、多数の有色又は無色の風船を用いた展示場、催事場、イベント会場等の建物内の演出方法であって、前記多数の風船に夫々芳香性流体を気体と共に封入して、前記多数の風船を適宜破裂させると共に建物内の雰囲気を攪拌させる手段を備えて雰囲気を攪拌させるものである。【０００９】  更に、請求項２に記載の多数の風船を用いた演出方法は、多数の有色又は無色の風船を用いた展示場、催事場、イベント会場等の建物内の演出方法であって、前記多数の風船に夫々微細な色彩鮮やかな紙吹雪を気体と共に封入して、前記多数の風船を適宜破裂させると共に照明手段を備えて落下する紙吹雪を照明するものである。
【実施例１】
【００１０】  即ち、本発明の実施の形態は、展示場、催事場、イベント会場等の建物内で実施するもので、既設のものでも、プレハブやテント等の仮設のものでも構わないもので、短期間で表示物を表示、撤去、及び、行事やイベントを行うのに使用される建物であり、その高さや広さは特に限定しないものである。【００１１】  そして、風船は多数を用いるもので、ヘリウム等の雰囲気より軽い気体を充填して雰囲気中に浮遊するものでも、雰囲気中の空気を充填してポール等の上に取着したり、壁、梁、柱の間等に針金や凧糸を張設して固定具で固定したものでも構わないもので、実施の形態では多数の赤、青、黄、緑等の多色のもの、又は、透明、半透明の有色又は無色の風船を用いるものである。【００１２】  次に、芳香性流体は風船に充填するヘリウムや空気等の気体と共に封入するものであり、一般的な香料を加えた芳香剤と同様に香りを付けた気体、揮発性の液体等の流体であり、展示場、催事場、イベント会場等の雰囲気に合致する香りとするものである。【００１３】  次いで、多数の風船を適宜破裂させるもので、破裂させる手段は鋭角なもので軽く突くだけで容易に破裂するものであり、破裂音を効果的に利用する場合は平面的なもので挟むように破裂させると比較的大音響と成るものである。【００１４】  更に、建物内の雰囲気を攪拌させる手段は、ファン、又は、エアコンディショナー等建物内の空調に関する手段で良く、上方の空気と下方の空気が入れ替わるように攪拌することが望ましいものである。【００１５】  つまり、多数の風船にヘリウム等の軽い気体と共に芳香性流体を封入した場合は、風船は雰囲気中を浮遊して上方の天井の直下に上昇して止まっており、更には、多数の風船を浮遊させることで天井直下に二層、三層・・・と成り色もカラフルなことから壮観な天井とが形成されるものであり、天井の直下のスペースに意図的に色を変えて浮遊させることで、表示物を造形させることを可能とするもので、表示物を宣伝広告のために文字や図形等の造形することも可能とするものである。【００１６】  更に、建物内の雰囲気を攪拌させる手段を備えて雰囲気を攪拌させることから、浮遊した多数の風船はゆっくり移動したり、又は、ポール等の上に取着したり、壁、梁、柱の間等に針金や凧糸を張設して固定具で固定した多数の風船はユラユラ揺れたりするもので幻想的な演出もできるものである。【００１７】  次いで、風船を適宜破裂させることから芳香性流体と雰囲気の空気が混ざり、香りが建物の中に漂うものであり、この時の風船の破裂音も効果的に利用できるものであり、破裂させる手段により音を静かにしたり、音を大きくしたり、更に、マイクやスピーカー等を用いることで大音響にしたりすることも可能である。
【実施例２】
【００１８】  次に、本発明の次実施の形態において、多数の赤、青、黄、緑等の多色のもの、又は、透明、半透明の有色又は無色の風船を用いて、微細な鮮やかな色彩の紙吹雪を気体と共に封入しており、風船を適宜破裂させることによって紙吹雪が落下するものであり、具体的には、紙吹雪は大きさや材質によって雰囲気中を漂うように落下させることも、比較的早く落下させることも可能であり、その落下する紙吹雪に照明手段により照明することにより視覚に訴える演出を可能とするものである。【００１９】  又、本発明の応用例として、前記多数の風船の中に芳香性流体又は紙吹雪と共にぬいぐるみや、小物、花等を封入する、所謂、ラッピングバルーンの様な風船とすることも可能であり、例えば、演出舞台に多数のカラフルな風船に花を封入して並べて装飾しておき、適時、多数の風船を破裂させることにより、香り又は紙吹雪の演出と共に、演出舞台を恰も花畑に変化させるような演出も可能となるものである。【００２０】  そして、多数の風船には、展示場、催事場、イベント会場等の主旨に合致する宣伝広告のための文字、図形、絵等を夫々表示して、イベント等が終了する直前には来客ユーザーに持ち帰らせ、販売促進、又は、広告宣伝用の商品として手渡すことを可能とするものである。
【産業上の利用可能性】
【００２１】  本発明は、短期間で終了する展示場、催事場、イベント会場等における演出効果を奏でるものであり、多数の風船に芳香性流体を気体と共に封入して破裂させることで、人間の嗅覚に訴える演出を可能とし、更に、多数の風船に紙吹雪を気体と共に封入して破裂させることで、人間の視覚に訴える演出を可能とするもので、これら展示場、催事場、イベント会場等の建物内で、人間の嗅覚や視覚に訴えるための演出方法を提供するものである。